(57)【要約】【課題】設営や撤収が容易で、設置スペースを有効に活用可能で、設置費用や環境保護に配慮した、吊下げ具を装着して物品を陳列や展示をすることができるパネルを提供する。【解決手段】樹脂により板状に一体成型され、空間を仕切るパネル１であって、該パネル１の表側１ａおよび裏側１ｂには、それぞれ吊下げ具装着部２が形成され、該吊下げ具装着部２は、前記パネル１の表面１ｃからパネル１の厚み方向に形成され、且つ、パネルの水平方向に連続した水平溝３と、該水平溝３からパネル１の上方向に形成され、且つ、パネル１の水平方向に連続した垂直溝４とで構成されている。【選択図】図２
2009113179.tif 000002
【特許請求の範囲】
【請求項１】
樹脂により板状に一体成型され、空間を仕切るパネルであって、
該パネルの表側および裏側には、それぞれ吊下げ具装着部が形成され、
該吊下げ具装着部は、
前記パネルの表側と裏側のそれぞれの表面からパネルの厚み方向に形成され、且つ、パネルの水平方向に連続した水平溝と、
該水平溝からパネルの上方向に形成され、且つ、パネルの水平方向に連続した垂直溝とで構成されていることを特徴とするパネル。
【請求項２】
パネルの表側の吊下げ具装着部と、パネルの裏側の吊下げ具装着部は、双方の垂直溝が、パネルの上下方向に直列に形成されていることを特徴とする請求項１に記載のパネル。
【請求項３】
吊下げ具装着部は、パネルの表側の吊下げ具装着部と、パネルの裏側の吊下げ具装着部とが、パネルの上下方向に交互に形成されていることを特徴とする請求項２に記載のパネル。
【請求項４】
吊下げ具装着部は、パネルの表側とパネルの裏側のそれぞれに、複数配されていることを特徴とする請求項３に記載のパネル。
【請求項５】
パネルには、吊下げ具装着部を避けて、パネルの水平方向に貫通した穴が形成されていることを特徴とする請求項４に記載のパネル。
【発明の詳細な説明】
【技術分野】
【０００１】
本発明は、吊下げ具を装着して物品の陳列や展示をすることができる空間を仕切るパネルに関する。
【背景技術】
【０００２】
従来から、ショップにおける商品の陳列や、壁面を利用した展示をする場合に、空間を仕切ったパネルに吊下げ具を装着して使用していた。
このようなパネルの一例として、特許文献１は、複数の横長の、コの字状の上端を有する単位パネルを上下に積み重ねて、ひとつのパネルを形成し、該単位パネルの上縁に、吊下げ具を引っ掛けて係止することにより、該パネルの片面側に、上下に縦列して吊下げ具を配列することが可能な構成を開示している。
ところが、上記従来のパネルは、横長の単位パネルを上下に積み重ねて構成されるため、設営や撤収に手間がかかっていた。【０００３】
また、吊下げ具は、パネルの片側面だけにしか装着することができなかったので、パネルの片側面のみに荷重がかかっていた。このため、パネルの湾曲や、倒れなどの不都合が生じていた。また、吊下げ具が片側面のみであることから、背中合わせに陳列や展示をしたい場合には、パネルを背中合わせに設営していた。このため、２枚のパネルを用意する必要があるので費用が嵩み、また、パネルを設置するためのスペースも増加するので、陳列や展示をするスペースの有効活用ができなかった。【０００４】
また、従来のパネルの表面は布地が使用されることが多く、多くの部品を使用して組み立てられていたので、パネルが汚れた場合には、洗浄することができず、廃棄処分と成っていた。特に、パネルをデスクトップパーテーションとして使用した場合には、使用者が変わる度にパネルを廃棄して新設する場合もあった。
また、他の例としては、陳列や展示をするスペースをボードで仕切り、該ボードに吊下げ具を装着して使用する場合もあった。この場合には、陳列や展示が終了するとボードが取り壊され廃棄されていたので、設置費用の観点や環境保護の観点において改善が望まれていた。
【特許文献１】特開平３−１７３２８１号公報
【発明の開示】
【発明が解決しようとする課題】
【０００５】
本発明の目的は、上述した課題を解決し、設営や撤収が容易で、設置スペースを有効に活用可能で、設置費用や環境保護に配慮した、吊下げ具を装着して物品を陳列や展示をすることができるパネルを提供することである。
【課題を解決するための手段】
【０００６】
上記課題を達成するために本発明がなした技術的手段は、樹脂により板状に一体成型され、空間を仕切るパネルであって、該パネルの表側および裏側には、それぞれ吊下げ具装着部が形成され、該吊下げ具装着部は、前記パネルの表側と裏側のそれぞれの表面からパネルの厚み方向に形成され、且つ、パネルの水平方向に連続した水平溝と、該水平溝からパネルの上方向に形成され、且つ、パネルの水平方向に連続した垂直溝とで構成されていることを特徴とするパネルとしたことである。また、そのパネルの表側の吊下げ具装着部と、パネルの裏側の吊下げ具装着部は、双方の垂直溝が、パネルの上下方向に直列に形成されている場合もある。その場合、吊下げ具装着部は、パネルの表側の吊下げ具装着部と、パネルの裏側の吊下げ具装着部とが、パネルの上下方向に交互に形成されていても良い。また、吊下げ具装着部は、パネルの表側とパネルの裏側のそれぞれに、複数配されている場合もある。また、パネルには、吊下げ具装着部を避けて、パネルの水平方向に貫通した穴が形成されていても良い。
【発明の効果】
【０００７】
本発明によれば、設営や撤収が容易で、設置スペースを有効に活用可能で、設置費用や環境保護に配慮した、吊下げ具を装着して物品を陳列や展示をすることができるパネルを提供することができる。
【発明を実施するための最良の形態】
【０００８】
以下、本発明の実施形態によるパネルについて、添付図面にもとづいて説明する。なお、本実施形態において、パネルとは、板状に形成されて、例えば、展示や販売を行うブースを仕切るパネルや、商品を陳列するための什器としてのパネル、あるいは、机の周囲を取り囲むパーテーションパネル等を含み、その他、空間を仕切って物品を吊下げる用途に使用されていれば、その大きさや厚さを問わず全てのパネルを含む概念である。【０００９】
本実施形態によるパネル１は、樹脂素材を板状に一体成型して成り、図１乃至図４に示すように、該パネル１の表側１ａ（図１参照）と裏側１ｂ（図２参照）の両側には、複数の吊下げ具装着部２が形成されている。なお、本実施形態では、例えば押し出し成型により一体成型され、その場合の樹脂材料として、ポリ塩化ビニル（ＰＣＶ：polyvinyl chloride）を選択するが、その際には、パネル１が設置される環境に配慮して、防炎特性を備えたポリ塩化ビニル材料を選択することが好ましい。【００１０】
吊下げ具装着部２は、水平溝３と垂直溝４とで構成される。
水平溝３は、パネル１の表側１ａと裏側１ｂのそれぞれの表面１ｃから、厚み方向（両矢印参照）に形成され、且つ、パネル１を水平方向（パネルの表面１ｃに対向して見た場合の左右方向）に、パネル１の左右両端まで連続して掛け渡されて形成される。
垂直溝４は、水平溝３からパネル１の上方向（図の上方向）に形成され、且つ、パネル１を水平方向（パネルの表面１ｃに対向して見た場合の左右方向）に、パネル１の左右両端まで連続して掛け渡されて形成される。
これにより、パネル１の両端面には、水平溝３と垂直溝４が露出している。また、垂直溝４が水平溝３から上方向に形成されることにより、垂直溝４と水平溝３に埃やゴミが溜まり難く、また、埃やゴミを掃除する場合や、水で洗浄する場合にも、垂直溝４と水平溝３から埃やゴミを掻き出し易く、排水も容易である。
なお、本実施形態では、水平溝３の下側の溝面３ａは、パネル１の表面１ｃに対して直交して形成されるとともに、垂直溝４の水平溝開口３ｂ側の壁面４ａは、パネル１の表面１ｃと並行に（水平溝３と直交して）形成されている。また、本実施形態では、水平溝３の溝幅は、垂直溝４の溝幅よりも大きく形成されている。【００１１】
また、パネル１の表側１ａに形成される吊下げ具装着部２と、パネル１の裏側１ｂに形成される吊下げ具装着部２は、パネル１の上下方向（図の上下方向）に交互に形成されとともに、双方の垂直溝４同士が、パネル１の上下方向に、一定の間隔で、直列に形成されている。
本実施形態では、図３及び図４に示すように、垂直溝４は、パネル１の厚み方向の中央に配されており、これにより、垂直溝４の水平溝開口３ｂ側の溝壁４ｃの厚さ（図中寸法Ａ参照）と、垂直溝４の水平溝反開口側の溝壁４ｂの厚さ（図中寸法Ｂ参照）は、同じ厚さに形成されている。
吊下げ具装着部２がこのように配されたことにより、吊下げ具６を表側１ａと裏側１ｂの両面に装着することができ、なお且つ、パネル１の厚みを薄くすることができる。
吊下げ具６は、表側１ａと裏側１ｂの両面に装着されるので、吊下げ具６に物品を吊下げたことによる片持ち荷重は、パネル１の表側１ａと裏側１ｂに均等に負荷され、パネル１が湾曲し難く、また、パネル１が倒れ難い。
双方の垂直溝４同士が、パネル１の上下方向に直列に形成されているので、物品の荷重がパネル１に対して直列に負荷されることになり、パネル１が湾曲し難く、また、パネル１が倒れ難い。【００１２】
パネル１には、吊下げ具装着部２を避けて、パネル１の水平方向に貫通した穴５が形成されている。この穴５は、パネル１が樹脂素材により一体成型される際に、樹脂のヒケによって、パネル１が湾曲することを防止する効果がある。また、穴５を設けたことより、パネル１を成型する際の樹脂材料を節約する効果もあり、さらに、パネル１の軽量化を図る効果もある。
なお、本実施例では、穴５は、前記パネル１の厚み方向の中央であって、パネル１の上下方向に直列に形成された垂直溝４同士の間に、それぞれ一つずつ形成されている。また、穴５の上に配される壁の厚さ（図中寸法Ｃ参照）と、穴５の下に配される壁の厚さ（図中寸法Ｄ参照）は、双方とも、垂直溝４の水平溝開口３ｂ側の溝壁４ｃの厚さ（図中寸法Ａ参照）及び、垂直溝４の水平溝反開口側の溝壁４ｂの厚さ（図中寸法Ｂ参照）と同じ厚さに形成されている。【００１３】
吊下げ具装着部２が上述のように形成されたパネル１には、該吊下げ具装着部２に吊下げ具６が装着される。パネル１に装着される吊下げ具６の一例を挙げれば、物品を吊下げるフック６ｄが延出するとともに、パネル１の表面１ｃと並行に形成された第一板状部６ａと、該第一板状部６ａの上端からパネル１の厚み方向に延出した第二板状部６ｂと、該第二板状部６ｂから上方向に延出した第三板状部６ｃとで構成されていれば良い。【００１４】
この場合、パネル１の表面１ｃには、吊下げ具６の第一板状部６ａが当接し、パネル１の水平溝３の下側の溝面３ａには、吊下げ具６の第二板状部６ｂが当接し、垂直溝４の水平溝開口３ｂ側の壁面４ａには、吊下げ具６の第三板状部６ｃが当接する。これにより、吊下げ具６のフック６ｄに物品が吊下げられた場合には、第一板状部６ａの下端を支点として図中右回りの力が作用する。従って、第二板状部６ｂが物品の重量を支えるとともに、第三板状部６ｃが、垂直溝４の水平溝開口３ｂ側の壁面４ａに引っ掛かって、吊下げ具６がパネル１にしっかりと固着する。なお、この場合であっても、フック６ｄを持ち上げることにより、吊下げ具６の固着が解かれて、吊下げ具６をパネル１から取り外すことが可能である。【００１５】
上述のように、吊下げ具６は、パネル１の吊下げ具装着部２に差し込んで装着するので、吊下げ具６の形状と、パネル１の吊下げ具装着部２の形状には、次のような関連性がある。
吊下げ具６の第三板状部６ｃが、垂直溝４の水平溝開口３ｂ側の壁面４ａに当接するために、吊下げ具６の第三板状部６ｃの延出長さ（パネル1の上下方向の長さ）が、パネル１の吊下げ具装着部２の水平溝３の溝幅（パネル1の上下方向の幅）よりも長くなるように設定される。
吊下げ具６の前記第三板状部６ｃが、垂直溝４の水平溝開口３ｂ側の壁面４ａに当接したときに、同時に、吊下げ具６の第一板状部６ａが、パネル１の表面１ｃに当接するために、吊下げ具６の第一板状部６ａと第三板状部６ｃとの距離は、パネル１の表面１ｃから垂直溝４の水平溝開口３ｂ側の壁面４ａまでの厚みと同じ寸法に設定される。
このように設定すれば、吊下げ具６が安定して吊下げ具装着部２に固定され、脱落することがない。【００１６】
また、本実施形態では、吊下げ具装着部２の水平溝３の下側の溝面３ａをパネル１の表面１ｃに対して直交して形成したが、吊下げ具６を確実に固定することができれば、他の構成であっても良い。例えば、図５に示すように、水平溝３の下側の溝面３ａは、パネル１の表面１ｃに向かって下向きの傾斜を有していても良い。この場合には、吊下げ具６の第二板状部６ｂも同様に、水平溝３の傾斜に合わせて形成すれば良い。これにより、吊下げ具装着部２に吊下げ具６を容易に差し込めるようになる。
また、図６に示すように、水平溝３の下側の溝面３ａは、パネル１の表面１ｃに向かって上向きの傾斜を有していても良い。この場合には、吊下げ具６の第二板状部６ｂも同様に、水平溝３の傾斜に合わせて形成すれば良い。これにより、吊下げ具装着部２から吊下げ具６が、脱落し難くなる。【００１７】
本実施形態では、吊下げ具装着部２の垂直溝４の水平溝開口３ｂ側の壁面４ａをパネル１の表面１ｃと並行に形成したが、吊下げ具６を確実に固定することができれば、他の構成であっても良い。例えば、図７に示すように、垂直溝４の水平溝開口３ｂ側の壁面４ａは、パネル１の下方向に向かって垂直溝４の溝幅が減少するように傾斜を有していても良い。この場合には、吊下げ具６の第三板状部６ｃも同様に、垂直溝４の水平溝開口３ｂ側の壁面４ａの傾斜に合わせて形成すれば良い。これにより、吊下げ具装着部２から吊下げ具６が、脱落し難くなる。
また、図８に示すように、垂直溝４の水平溝開口３ｂ側の壁面４ａは、パネル１の下方向に向かって垂直溝４の溝幅が増加するように傾斜を有していても良い。この場合には、吊下げ具６の第三板状部６ｃも同様に、垂直溝４の水平溝開口３ｂ側の壁面４ａの傾斜に合わせて形成すれば良い。これにより、吊下げ具装着部２に吊下げ具６を容易に差し込めるようになる。【００１８】
また、吊下げ具装着部２の水平溝３の下側の溝面３ａの傾斜と、吊下げ具装着部２の垂直溝４の水平溝開口３ｂ側の壁面４ａとは互いに組み合わせて形成されていても良い。この場合であっても吊下げ具は、水平溝３と垂直溝４にあわせて形成されていれば良い。
例えば、図示を省略するが、水平溝３の下側の溝面３ａは、パネル１の表面１ｃに向かって下向きの傾斜を有するとともに、垂直溝４の水平溝開口３ｂ側の壁面４ａは、パネル１の下方向に向かって垂直溝４の溝幅が増加するように傾斜を有していても良いし、或いは、垂直溝４の水平溝開口３ｂ側の壁面４ａは、パネル１の下方向に向かって垂直溝４の溝幅が減少するように傾斜を有していても良い。
または、水平溝３の下側の溝面３ａは、パネル１の表面１ｃに向かって上向きの傾斜を有するとともに、垂直溝４の水平溝開口３ｂ側の壁面４ａは、パネル１の下方向に向かって垂直溝４の溝幅が減少するように傾斜を有していても良いし、或いは、垂直溝４の水平溝開口３ｂ側の壁面４ａは、パネル１の下方向に向かって垂直溝４の溝幅が減少するように傾斜を有していても良い。【００１９】
また、本実施形態では、パネル１の表側１ａに形成される吊下げ具装着部２と、パネル１の裏側１ｂに形成される吊下げ具装着部２とが、パネル１の上下方向（図の上下方向）に交互に形成された例を説明したが、これに限定されず、吊下げ具装着部２は、上下に連続して形成されても良い。但し、この場合には、上下に隣接する吊下げ具装着部２同士の上下間隔が、狭くなるので、比較的小さな物品を吊下げる場合に適する。
例えば、表側１ａは、パネル１の上側に集中して吊下げ具装着部２を備え、裏側１ｂは、パネル１の下側に集中して吊下げ具装着部２を備えても良く、パネル１の設置場所や吊下げる物品の需要に応じて選択すれば良い。
また、本実施形態では、吊下げ具装着部２が形成される間隔を、パネル１の上下方向に一定の間隔としたが、これに限定されず、パネル１の設置場所や吊下げる物品の需要に応じて、所望の間隔としても良い。【００２０】
本実施形態によるパネル１は、樹脂によって一体成型されているので、任意の幅や任意の高さで容易に切断して組み合わせることができる。このとき、切断されて不要となった部分を回収して、破砕することによって、新たなパネル１を一体成型する際の樹脂材料としても良い。
なお、本実施形態では、パネル１は樹脂素材を成型する際に、地色とは違った色が部分的に混合され、これにより、あたかも、木目のような色の層を備える。この場合、パネル１を任意の部分で切断しても、その切断面にも木目のような色の層が表れる。また、パネル１は、吊下げ具装着部２を形成する角部は、全てアール状になめらかな面取りが施されている。これにより、木質系の柔らかな触感と見た目を与えることができる。【００２１】
また、パネル１の使用によって、パネル１が汚れた場合であっても、パネル１を水や洗剤を使用して洗浄して、消毒殺菌加工を施すことが可能である。これにより、物品の陳列や展示が終了したり、デスクパーテーションとして使用していた使用者が変更されたりする場合であっても、パネル１を回収して、洗浄後、消毒殺菌加工を施して再使用すれば、新たな需要に供することが可能である。
また、パネル１が、洗浄不可能なほど汚れたり、破損したりした場合には、回収して、破砕することによって、新たなパネル１を一体成型する際の樹脂材料としても良い。【００２２】
図９に示すように、パネル１の上端部及び下端部は、それぞれ連結可能に形成され、複数枚のパネル１が、上下に連結されていても良い。具体的には、パネル１の連結部７は、垂直溝４の水平溝反開口側の溝壁４ｂが上下に２分割されている。なお、分割面は、水平方向に伸びた第一分割面７ａと、該第一分割面７ａと並行に延びた第二分割面７ｂが段差を持って形成されている。
パネル１を上下に連結する場合には、一方のパネル１の上端部に他方のパネル１の下端部を重ねるとともに、前記該第一分割面７ａと第二分割面７ｂを合わせるように連結する。【００２３】
本実施形態において、パネル１の構成の一例として、水平溝３及び垂直溝４が、パネル１の左右両端まで連続して掛け渡されて形成された場合を説明したが、これに限定されず、水平溝３及び垂直溝４は、断続して形成されていても良く、また、パネル１の左右両端で止められて形成され、パネル１の両端面に、水平溝３と垂直溝４が露出していなくても良い。
また、本実施形態では、水平溝３の溝幅を垂直溝４の溝幅よりも大きく形成した場合を説明したが、これに限定されず、水平溝３と垂直溝４の溝幅は同一でも良く、または、水平溝３の溝幅を垂直溝４の溝幅よりも小さく形成されていても良い。
【図面の簡単な説明】
【００２４】
【図１】パネルを表側からみた斜視図である。
【図２】パネルを裏側から見た斜視図である。
【図３】パネルを側面から見た断面図である。
【図４】パネルを側面から見た断面斜視図である。
【図５】吊下げ具装着部の他の構造を示す断面図であり、水平溝の下側の溝面が下向きの傾斜を有する例を示す。
【図６】吊下げ具装着部の他の構造を示す断面図であり、水平溝の下側の溝面が上向きの傾斜を有する例を示す。
【図７】吊下げ具装着部の他の構造を示す断面図であり、垂直溝の水平溝開口側の壁面が、パネルの下方向に向かって垂直溝の溝幅が減少するように傾斜を有する例を示す。
【図８】吊下げ具装着部の他の構造を示す断面図であり、垂直溝の水平溝開口側の壁面が、パネルの下方向に向かって垂直溝の溝幅が増加するように傾斜を有する例を示す。
【図９】上下に連結したパネルの一部を拡大した断面斜視図である。
【符号の説明】
【００２５】
１  パネル
１ａ  パネルの表側
１ｂ  パネルの裏側
１ｃ  パネルの表面
２  吊下げ具装着部
３  水平溝
４  垂直溝
【図１】
2009113179.tif 000003
【図２】
2009113179.tif 000004
【図３】
2009113179.tif 000005
【図４】
2009113179.tif 000006
【図５】
2009113179.tif 000007
【図６】
2009113179.tif 000008
【図７】
2009113179.tif 000009
【図８】
2009113179.tif 000010
【図９】
2009113179.tif 000011
【国際調査報告】
2009113179.tif 000012
2009113179.tif 000013
2009113179.tif 000014
2009113179.tif 000015